(57)【要約】【課題】  簡易な構成により蓋体の開閉を容易且つ確実に行うことができるウェットティッシュ容器を提供する。【解決手段】  容器本体１０の開口を覆うように取り付けられた中蓋２０と、中蓋２０の上部に回動可能に装着された上蓋３０とを備え、中蓋２０は、平坦状の上面２１の一部に凹部２２が形成され、容器本体１０に収容するウェットティッシュの先端部を取出し可能に保持する保持口２４が凹部２２内に形成されており、上蓋３０は、回動時に中蓋２０の上面２１と摺動するように配置され、凹部２２と位置合わせ可能な取出口３２が形成されている。【選択図】  図３
2015081100.tif 000002
【特許請求の範囲】
【請求項１】
上部に開口を有する容器本体と、
前記容器本体の前記開口を覆うように取り付けられた中蓋と、
前記中蓋の上部に回動可能に装着された上蓋とを備え、
前記中蓋は、平坦状の上面の一部に凹部が形成され、前記容器本体に収容するウェットティッシュを取出し可能に保持する保持口が前記凹部内に形成されており、
前記上蓋は、回動時に前記中蓋の上面と摺動するように配置され、前記凹部と位置合わせ可能な取出口が形成されているウェットティッシュ容器。
【請求項２】
前記中蓋は、上面から前記取出口内に突出する係合突起を備え、
前記上蓋は、両方向への回動時に前記取出口の開口縁部が前記係合突起とそれぞれ当接する２箇所に、前記係合突起が嵌合する切欠状の係合部が形成されており、
前記係合突起が一方の前記係合部に嵌合した状態から他方の前記係合部に嵌合した状態まで前記上蓋を回動させることにより、前記保持口が前記取出口を介して露出する状態から非露出状態となる請求項１に記載のウェットティッシュ容器。
【請求項３】
前記上蓋は、外周部の全体にわたって多数の滑り止め用突起が設けられている請求項１または２に記載のウェットティッシュ容器。
【発明の詳細な説明】
【技術分野】
【０００１】
本発明は、ウェットティッシュを収納するウェットティッシュ容器に関する。
【背景技術】
【０００２】
一般に、ウェットティッシュ容器は、収容したウェットティッシュの取出口を上部に有する容器本体と、この取出口を回動により開閉する蓋体とを備えており、操作ボタンの操作により蓋体と操作ボタンとの係合が解除されると、蓋体に設けられた弾性体の作用により蓋体が開放されるように構成されている（例えば、特許文献１）。
【先行技術文献】
【特許文献】
【０００３】
【特許文献１】特開２０１０−１１６１９９号公報
【発明の概要】
【発明が解決しようとする課題】
【０００４】
このようなウェットティッシュ容器に対しては、蓋体の開閉を容易に行うことができると共に、ウェットティッシュの含浸液の蒸発を防止するため蓋体を確実に閉止できることが要求される。ところが、従来のウェットティッシュ容器は、このような操作性と閉止性の両立を図るため、操作ボタンやこれを支持する容器本体の取付部の形状・構造が煩雑なものとなり、製造コスト高の要因となっていた。
【０００５】
そこで、本発明は、簡易な構成により蓋体の開閉を容易且つ確実に行うことができるウェットティッシュ容器の提供を目的とする。
【課題を解決するための手段】
【０００６】
本発明の前記目的は、上部に開口を有する容器本体と、前記容器本体の前記開口を覆うように取り付けられた中蓋と、前記中蓋の上部に回動可能に装着された上蓋とを備え、前記中蓋は、平坦状の上面の一部に凹部が形成され、前記容器本体に収容するウェットティッシュを取出し可能に保持する保持口が前記凹部内に形成されており、前記上蓋は、回動時に前記中蓋の上面と摺動するように配置され、前記保持口と位置合わせ可能な取出口が形成されているウェットティッシュ容器により達成される。
【０００７】
このウェットティッシュ容器において、前記中蓋は、上面から前記取出口内に突出する係合突起を備え、前記上蓋は、両方向への回動時に前記取出口の開口縁部が前記係合突起とそれぞれ当接する２箇所に、前記係合突起が嵌合する切欠状の係合部が形成されていることが好ましい。この構成は、前記係合突起が一方の前記係合部に嵌合した状態から他方の前記係合部に嵌合した状態まで前記上蓋を回動させることにより、前記保持口が前記取出口を介して露出する状態から非露出状態とすることができる。
【０００８】
また、前記上蓋は、外周部の全体にわたって多数の滑り止め用突起が設けられていることが好ましい。
【発明の効果】
【０００９】
本発明によれば、簡易な構成により蓋体の開閉を容易且つ確実に行うことができるウェットティッシュ容器を提供することができる。
【図面の簡単な説明】
【００１０】
【図１】本発明の一実施形態に係るウェットティッシュ容器の分解正面図である。
【図２】前記ウェットティッシュ容器の平面図である。
【図３】図２のＡ−Ａ断面断面図である。
【図４】前記ウェットティッシュ容器の使用方法を説明するための平面図である。
【図５】図４のＢ−Ｂ断面に相当する要部断面図である。
【図６】本発明の他の実施形態に係るウェットティッシュ容器の平面図である。
【発明を実施するための形態】
【００１１】
以下、本発明の実施の形態について、添付図面を参照して説明する。図１は、本発明の一実施形態に係るウェットティッシュ容器の分解正面図である。ウェットティッシュ容器１は、例えば合成樹脂からなり、上部に開口１２を有する容器本体１０と、容器本体１０の開口１２を覆うように取り付けられた中蓋２０と、中蓋２０の上部に回動可能に装着された上蓋３０とを備えている。
【００１２】
中蓋２０は、円筒状の下部の内周面が容器本体１０の首部に形成されたねじ部１４に螺合することにより、容器本体１０に対して着脱可能とされている。容器本体１０の開口１２を覆う中蓋２０の上面２１は、平坦状に形成されており、上方に突出する係合突起２６が設けられている。
【００１３】
上蓋３０は、皿状に形成されており、内周面に形成されたリブ（図示せず）が、中蓋２０の上部外周に沿って形成されたガイド溝２３に係合することにより、中蓋２０の上面２１に沿って回動自在とされている。上蓋３０には、ウェットティッシュを取り出すための取出口３２が形成されており、中蓋２０の係合突起２６が取出口３２内に突出するように、上蓋３０が中蓋２０に装着される。上蓋３０の外周部には、全体にわたって多数の滑り止め用突起３４が設けられており、滑り止め用突起３４に指を当てて上蓋３０を容易に回動させることができる。
【００１４】
図２は、図１に示すウェットティッシュ容器１の平面図であり、図３は、図２のＡ−Ａ断面図である。図２および図３に示すように、中蓋２０の上面２１は上蓋３０の下面と接しており、上蓋３０の回動時に、上蓋３０が中蓋２０の上面２１と摺動するように構成されている。上面２１の一部には容器本体１０の内部に向けて窪んだ形状を有する凹部２２が形成されており、凹部２２の内部に保持口２４が形成されている。保持口２４は、十字状の切込みを有しており、容器本体１０内に収容されたウェットティッシュを通過させて取出し可能に保持する。保持口２４の切込み形状は、ウェットティッシュを保持可能な形状であれば特に限定されるものではない。
【００１５】
上蓋３０の取出口３２は、凹部２２の上部開口と略同じ大きさ・形状を有しており、上蓋３０の回動により凹部２２と位置合わせが可能な位置に形成されている。取出口３２の形状は特に限定されないが、本実施形態においては中心側から径方向外方に向けて開口幅が拡がる形状部分を有しており、この形状部分に保持口２４が露出するように形成されている。
【００１６】
取出口３２の開口縁部には、上蓋３０の左右両方向への回動時に係合突起２６が当接する箇所に、切欠状の係合部３２ａ，３２ｂが形成されている。各係合部３２ａ，３２ｂは、係合突起２６が嵌合可能に形成されており、上蓋３０の回動位置を保持することができる。図２においては、係合突起２６が一方の係合部３２ａに嵌合した状態を示している。
【００１７】
次に、上述したウェットティッシュ容器１の使用方法を説明する。容器本体１０に収納するウェットティッシュとしては、例えば、薬液を含浸させた不織布等からなるミシン目付きの帯状体を、ロール状に巻回した公知のものを使用することができる。このウェットティッシュの端部を中蓋２０の保持口２４に挿通した後、中蓋２０を容器本体１０に装着することにより、保持口２４から取出口３２を介してウェットティッシュを引き出すことができ、ミシン目で切り離しながら順次使用することができる。
【００１８】
ウェットティッシュの使用後は、図２の矢示方向に上蓋３０を回動させることにより、図４に示すように、係合突起２６が他方の係合部３２ｂに嵌合し、上蓋３０の回動後の位置が保持される。図４に示す状態では、取出口２４からは中蓋の上面２１のみが露出しており、図５に要部断面図で示すように、凹部２２の上部開口は、周縁部が密着する上蓋３０により覆われた状態になる。これにより、凹部２２を密閉状態に維持することができ、保持口２４に保持されたウェットティッシュＴの含浸液が外部に揮散するのを防止することができる。ウェットティッシュＴが保持口２４から突出する部分が、上蓋３０の回動時に中蓋２０との間で噛み込みを生じさせないように、凹部２２の大きさを、ウェットティッシュＴの突出部分を確実に収納できる程度に設定することが好ましく、凹部２２の形状は、側壁が径方向外方に向けて滑らかに湾曲することが好ましい。
【００１９】
図６に示すように、各係合部３２ａ，３２ｂは、取出口３２の縁部近傍に、係合突起２６が嵌合する際に干渉する突状の干渉部３２１ａ，３２１ｂを備える構成にすることもできる。この構成によれば、各係合部３２ａ，３２ｂに収容される係合突起２６が干渉部３２１ａ，３２１ｂと摺動しながら通過する際に、上蓋３０の回動トルクが大きくなるため、使用者が手応えによって上蓋３０の開閉を容易に認識することができると共に、上蓋３０の開状態または閉状態を確実に維持することができる。
【００２０】
本発明のウェットティッシュ容器は、ウェットティッシュを収納する容器本体に対する蓋体（上蓋）の開閉を、従来のように上下動により行うのではなく回動動作により行うことができるので、簡易な構成により蓋体の開閉を容易且つ確実に行うことができる。
【００２１】
また、蓋体（上蓋）の開閉時のそれぞれにおいて、係合突起と係合部との嵌合により蓋体の回動位置を保持するように構成することで、蓋体が不意に回動するのをより確実に防止することができる。
【符号の説明】
【００２２】
１  ウェットティッシュ容器
１０  容器本体
１２  開口
２０  中蓋
２２  凹部
２４  保持口
２６  係合突起
３０  上蓋
３１  上面
３２  取出口
３２ａ，３２ｂ  係合部
３４  滑り止め用突起
【図１】
2015081100.tif 000003
【図２】
2015081100.tif 000004
【図３】
2015081100.tif 000005
【図４】
2015081100.tif 000006
【図５】
2015081100.tif 000007
【図６】
2015081100.tif 000008